【事件の表示】
　特願２０１０−１４５８１１「光半導体装置及びその製造方法」拒絶査定不服審判事件〔平成２４年　１月１２日出願公開，特開２０１２−　　９７２３〕について，次のとおり審決する。
【結　論】
　本件審判の請求は，成り立たない。
【理　由】
１　手続の経緯
　本願は，平成２２年６月２８日の出願であって，平成２５年１２月３日付けで拒絶理由が通知され，平成２６年２月５日に手続補正がされ，同年３月２６日付けで拒絶査定がされ，これに対して，同年６月３０日に審判請求がされると同時に手続補正がされたものである。
　その後，当審において，平成２７年３月３１日付けで拒絶理由が通知され，これに対して，同年６月３日に手続補正書及び意見書が提出された。
２　本願発明について
（１）本願発明
　本願発明は，平成２７年６月３日に提出された補正書により補正された特許請求の範囲の請求項１〜１１に記載されている事項により特定されるとおりのものであり，そのうち請求項１に係る発明は，特許請求の範囲の請求項１に記載されている事項により特定される以下のとおりのもの（以下「本願発明」という。）である。
「【請求項１】
　基体と，
　前記基体上に離間して配置された複数の接合部材と，
　前記接合部材上に載置された複数の光半導体素子とを備える光半導体装置であって，
　前記基体における前記複数の光半導体発光素子を載置させる領域は，全領域にわたって平坦な同一面であり，
　１つの前記光半導体素子は１つの前記接合部材で固定されており，
　少なくとも１つの接合部材において，光半導体素子の一端側の高さｈ１と，該一端と対向する他方端側の高さｈ２とで異なり，
　前記平坦な面上に配置される少なくとも２つの光半導体素子から発光される光の光軸の方向が互いに異なり，かつ前記基体の表面に対して異なる角度を有することを特徴とする光半導体装置。」
（２）刊行物に記載された発明
ア　引用例１：　特開２００７−１８４４９３号公報
（ア）当審において通知した拒絶理由に引用し，本願の出願前に日本国内において頒布された特開２００７−１８４４９３号公報（以下「引用例１」という。）には，図１〜図１０とともに以下の記載がある（下線は当審で付加。以下同様。）。
ａ「【０００１】
　本発明は，発光ダイオード等の発光素子を光源として備えた光源装置に係わり，特にＲ，Ｇ，Ｂ３色の発光ダイオードを均等に拡散発光させて，所望の色（白色やその他の色）の面光源を得る照明用光源装置に適応して好適なものである。また，本発明は，表示部を背面から照明する光源装置を備えた表示装置に係わる。」
ｂ「【００２１】
　本発明の一実施の形態として，光源装置の概略構成図を，図１に示す。
　
この光源装置１０は，それぞれ基板１１上に設けられた三色（赤色Ｒ，緑色Ｇ，青色Ｂ）の発光ダイオード（ＬＥＤ）１２Ｒ，１２Ｇ，１２Ｂを備え，これらが固定材１３に固定されて，構成されている
【００２２】
　本実施の形態の光源装置１０では，図２Ａ及び図２Ｂに示すように，
それぞれ基板１１上に設けられた三色（赤色Ｒ，緑色Ｇ，青色Ｂ）の発光ダイオード（ＬＥＤ）１２Ｒ，１２Ｇ，１２Ｂを配置して，１つの発光ダイオードユニット２０を構成している
【００２３】
　
赤色の発光ダイオード１２Ｒ及び青色の発光ダイオード１２Ｂについては，それぞれの基板１１を固定している固定材１３が，底面に対して傾斜角度θ＝４５°の傾斜面となっていることにより，発光ダイオード１２Ｒ，１２Ｂの出射面が底面に対して傾斜角度θ（４５°）の傾斜面となっている
【００２４】
　そして，発光ダイオード１２Ｒ，１２Ｇ，１２Ｂの上方の空間は，光源装置１０の底面に垂直に配置された，反射材１４によって囲まれている。
　また，反射材１４によって囲まれた空間内に，断面がＸ字状となるように，薄い拡散材料から成る拡散シート１５が設けられている。
　さらに，空間の上方の開口部に，拡散材料から成る拡散板１６が設けられている。
【００２５】
　・・・（中略）・・・
【００３０】
　このように，本実施の形態の光源装置１０では，発光ダイオードユニット２０に対して，反射材１４，拡散シート１５，並びに拡散板１６を設けたことによって，３個の発光ダイオード１２Ｒ，１２Ｇ，１２Ｂのそれぞれから出射した光を混合して，均一な分布を有する光とすることができる。
【００３１】
　・・・（中略）・・・
【００３３】
　そして，本実施の形態の光学装置１０では，レンズ等の特別な光学部材を使用する必要がなく，各発光ダイオード１２Ｒ，１２Ｇ，１２Ｂ毎に光学部材を設ける必要もない。これにより，特殊で高価な発光ダイオード１２Ｒ，１２Ｇ，１２Ｂを用いる必要がなくなる。
　また，レンズ等の光学部材を発光ダイオード１２Ｒ，１２Ｇ，１２Ｂ毎に設ける場合には，光学部材を支持するために発光ダイオード１２Ｒ，１２Ｇ，１２Ｂをパッケージ化する必要が生じるのに対して，光学部材が不要となることにより，
各発光ダイオード１２Ｒ，１２Ｇ，１２Ｂをベアチップで実装することが可能になる
　従って，部品点数や部品コストを低減することが可能になる。」
ｃ「【００３６】
　次に，本発明の他の実施の形態として，光源装置の概略構成図を，図３〜図７に示す。
　本実施の形態の光源装置においては，
図３の平面図に示すように，図２Ａ及び図２Ｂに示した発光ダイオードユニット２０を４個使用して，これら４個の発光ダイオードユニット２０を，共通に細長く形成した基板１１上に間隔を開けて平行に配置している
【００３７】
　さらに，本実施の形態の光源装置において，発光ダイオードユニット２０の部分の断面図を図４に示す。図４に示すように，
発光ダイオードユニット２０の基板１１の上方に，側面を囲う反射材１４と，断面がＸ字状の拡散シート１５とが設けられて，アレーユニット３０が構成されている。アレーユニット３０内には，３×４＝１２個の発光ダイオード１２（１２Ｒ，１２Ｇ，１２Ｂ）を有している
【００３８】
　本実施の形態の光源装置では，反射材１４及び拡散シート１５の傾きや，拡散シート１５の長さが，図１の光源装置１０と異なっている。また，図１の拡散板１６は設けていない。
　反射材１４は，光源装置の底面に垂直ではなく，上側が開くように底面に対して傾斜している。反射材１４の傾斜角度は，外側の発光ダイオード１２Ｒ，１２Ｂの出射面の傾斜角度θよりも大きくなっている。
【００３９】
　また，アレーユニット３０の側面図を，図５に示す。
　図５に示すように，基板１１の固定材１３は，発光ダイオードユニット２０の部分ではなく，発光ダイオードユニット２０の間の部分に設けられている。
【００４０】
　また，アレーユニット３０の発光ダイオードユニット２０の間の部分の断面図を，図６に示す。
　図６に示すように，発光ダイオードユニット２０の間の部分の３枚の基板１１上に，接着材（両面テープ等）１７によって反射材１８を貼り付けている。
　この反射材１８により，基板１１側に向かった光を，上方に反射させることができる。
【００４１】
　また，アレーユニット３０の他の側面図（図５の左右にある側面の側面図）を，図７に示す。
　図７に示すように，底面まで延びるように，側面全体に反射材１４を取り付けていることにより，内部の光が漏れないようにしている。
【００４２】
　本実施の形態のアレーユニット３０の構成によれば，先の実施の形態の光源装置１０と同様に，
基板１１上にそれぞれ形成された３色の発光ダイオード１２Ｒ，１２Ｇ，１２Ｂから成る発光ダイオードユニット２０に対して，上方の側面を囲う反射材１４，上方の断面Ｘ字状の拡散シート１５を設けたことにより，３色の発光ダイオード１２Ｒ，１２Ｇ，１２Ｂのそれぞれから出射した光を混合して，均一な分布を有する光とすることができる
　これにより，色再現性の良好な光源装置（アレーユニット３０）を実現することができると共に，光源装置の厚さを薄くしても良好な色度分布を得ることができ，光源装置を薄型化・小型化することが可能になる。また，レンズ等の特別な光学部材を使用する必要がなく，各発光ダイオード１２Ｒ，１２Ｇ，１２Ｂ毎に光学部材を設ける必要もないため，特殊で高価な発光ダイオード１２Ｒ，１２Ｇ，１２Ｂを用いる必要がなくなり，各発光ダイオード１２Ｒ，１２Ｇ，１２Ｂをベアチップで実装することが可能になる。
　従って，部品点数や部品コストを低減することが可能になる。
【００４３】
　また，本実施の形態のアレーユニット３０の構成によれば，先の実施の形態の光源装置１０と同様に，
３色の発光ダイオード１２Ｒ，１２Ｇ，１２Ｂのうち，外側に配置された２つの発光ダイオード１２Ｒ及び１２Ｂにおいて，出射面が底面に対して傾斜角度θ（４５°）の傾斜面となっているため，３色の発光ダイオード１２Ｒ，１２Ｇ，１２Ｂからの出射光を光源装置１０の中心部へ集めて，均一な分布の光に混合させやすくなっている
【００４４】
　さらに，本実施の形態のアレーユニット３０の構成によれば，発光ダイオードユニット２０の間の部分の基板１１上に，反射材１８を設けていることにより，アレーユニット３０の底面側に設けた反射材１８によって，底面側における反射の効率を上げることができるため，発光ダイオード１２Ｒ，１２Ｇ，１２Ｂから出射した光の利用効率を向上することができる。
　これにより，アレーユニット３０の外へ効率良く光を出射させることができるため，出射光の輝度を充分に確保することができる。
　また，出射光の輝度を充分に確保することができるため，より少ないエネルギーでも従来の構成と同等の輝度を得ることが可能になる。
　従って，光源装置（アレーユニット３０）の消費電力の低減等の省エネルギー化や高寿命化を図ることが可能になる。
　さらに，例えばアレーユニット３０内の発光ダイオード１２Ｒ，１２Ｇ，１２Ｂの個数を減らすことにより，発光ダイオード１２Ｒ，１２Ｇ，１２Ｂのチップの占める面積や体積を低減して省スペース化を図ることや，部品コストを低減することも可能になる。
【００４５】
　本実施の形態のアレーユニット３０を，液晶表示装置のバックライト光源として使用することができる。
　例えば，
図３〜図７に示した構成のアレーユニット３０を，図８に平面図を示すように，縦３個・横６個の合計１８個配列することにより，２３インチの液晶表示装置のバックライト光源装置４０を構成することができる。
　図中３１及び３２は反射板を示し，３３は筐体を示す
【００４６】
　また，このバックライト光源装置４０の縦方向の断面図及び横方向の断面図を，それぞれ図９及び図１０に示す。
　図９及び図１０に示すように，筐体３３の上側の開口に，拡散板３４を取り付けることにより，バックライト光源装置４０が構成されている。
【００４７】
　そして，アレーユニット３０を配列する個数を変えることにより，３２インチ，４０インチ，４６インチ等の画面サイズに対応させることもできる。
　各画面サイズにおける，アレーユニット３０を配列する個数を，表１に示す。表１には，使用する発光ダイオード（ＬＥＤ）の個数も合わせて示している。
【００４８】
【表１】
　（略）
【００４９】
　発光ダイオードを配置してアレーユニット３０を構成したことにより，使用するアレーユニット３０の個数を変えれば，表１に示すように，様々な画面サイズに適用させることが可能であるため，バックライト装置を光源として用いた液晶表示装置等の装置の設計を簡略化することができる。
【００５０】
　発光ダイオードの個数は，表１に示した個数に固定されるものではなく，目標とする発光輝度により任意に設定することが可能である。
　そして，目標とする発光輝度に応じて，アレーユニット内の発光ダイオードの個数を（上述した形態の１２個に限らず）任意に設定すればよい。
【００５１】
　なお，
図８〜図１０に示したように，アレーユニット３０を縦横に継ぎ足して，バックライト装置等の光源装置を構成する
ｄ　また，図１，図２及び図９は次のものである。
【図１】
【図２】
【図９】
（イ）ここで，図１及び図２とともに，段落【００２１】〜【００２３】の記載を参照すると，緑色の発光ダイオード１２Ｇについては，発光ダイオード１２Ｇが設けられている基板１１は底面に対して傾斜しておらず，それにより，発光ダイオード１２Ｇの出射面も底面に対して傾斜していないこと，及び，赤色の発光ダイオード１２Ｒ及び青色の発光ダイオード１２Ｂについては，それぞれが設けられている基板１１は，固定材１３により底面に対して傾斜角度θ＝４５°の傾斜面となっており，それにより，発光ダイオード１２Ｒ，１２Ｂの出射面は，底面に対して傾斜角度４５°の傾斜面となっていることがわかる。
　また，段落【００３６】及び段落【００４５】〜段落【００５１】の記載を参照すると，バックライト光源装置４０は，筐体３３内においてアレーユニット３０を縦横に継ぎ足して構成されたものであり，各アレーユニット３０は，４個の発光ダイオードユニット２０を，共通に細長く形成した基板１１上に間隔を開けて平行に配置するとともに，発光ダイオードユニット２０の基板１１の上方に，側面を囲う反射材１４と，断面がＸ字状の拡散シート１５とが設けられて構成されたものであって，アレーユニット３０内には，３×４＝１２個の発光ダイオード１２（１２Ｒ，１２Ｇ，１２Ｂ）を有しているものであることがわかる。また，図９を参照すると，筐体３３内の平坦な内底面上にアレーユニット３０が固定されていることが見て取れるから，当該内底面は，段落【００２１】〜【００２３】の記載における「底面」にあたるものであって，各発光ダイオードが設けられている範囲において平坦な同一面であることが明らかである。
（ウ）以上の記載によれば，引用例１には以下の発明（以下「引用発明」という。）が記載されているものと認められる。
「バックライト光源装置４０であって，
　底面を備える筐体３３内においてアレーユニット３０を縦横に継ぎ足して構成され，
　各アレーユニット３０は，４個の発光ダイオードユニット２０を，共通に細長く形成した基板１１上に間隔を開けて平行に配置するとともに，発光ダイオードユニット２０の基板１１の上方に，側面を囲う反射材１４と，断面がＸ字状の拡散シート１５とが設けられて構成されたものであって，アレーユニット３０内には，３×４＝１２個の発光ダイオード１２（１２Ｒ，１２Ｇ，１２Ｂ）を有しており，
　各発光ダイオード１２（１２Ｒ，１２Ｇ，１２Ｂ）は，基板１１上に設けられており，
　緑色の発光ダイオード１２Ｇについては，発光ダイオード１２Ｇが設けられている基板１１は底面に対して傾斜しておらず，それにより，発光ダイオード１２Ｇの出射面も底面に対して傾斜しておらず，また，赤色の発光ダイオード１２Ｒ及び青色の発光ダイオード１２Ｂについては，それぞれが設けられている基板１１は，固定材１３により底面に対して傾斜角度θ＝４５°の傾斜面となっており，それにより，発光ダイオード１２Ｒ，１２Ｂの出射面は，底面に対して傾斜角度４５°の傾斜面となっており，
　ここで，底面は，各発光ダイオードが設けられている範囲において平坦な同一面であり，
　発光ダイオードユニット２０においては，３色の発光ダイオード１２Ｒ，１２Ｇ，１２Ｂのうち，外側に配置された２つの発光ダイオード１２Ｒ及び１２Ｂが，出射面が底面に対して傾斜角度θ（４５°）の傾斜面となっているため，３色の発光ダイオード１２Ｒ，１２Ｇ，１２Ｂからの出射光を光源装置１０の中心部へ集めて，均一な分布の光に混合させやすくなっている，
　バックライト光源装置４０。」
イ　引用例２：　特開平８−２０２２８３号公報
（ア）当審において通知した拒絶理由に引用し，本願の出願前に日本国内において頒布された特開平８−２０２２８３号公報（以下「引用例２」という。）には，図１〜図４とともに以下の記載がある
ａ「【００１４】
【実施例】以下，実施例を示す添付図面によってこの発明を詳細に説明する。図１はこの発明の多色ディスプレイ装置の一実施例の一部を概略的に示す平面図，図２は図１のＩＩ−ＩＩ線断面図である。この多色ディスプレイ装置は，
基板１の表面に，３個一組の集光用凹所２Ｒ，２Ｂ，２Ｇを多数形成してあるとともに，各集光用凹所２Ｒ，２Ｂ，２Ｇにそれぞれ赤色の光を放射する発光ダイオード３Ｒ，青色の光を放射する発光ダイオード３Ｂおよび緑色の光を放射する発光ダイオード３Ｇを搭載している。そして，図２に示すように，集光用凹所２Ｒは底面が基板１の上面と平行な平坦面４ａであるとともに，この平坦面４ａを包囲する傾斜側面４ｂを有している
【００１５】
　・・・（中略）・・・
【００１６】
【実施例２】図３はこの発明の多色ディスプレイ装置の他の実施例の要部を示す概略縦断面図である。
この実施例が上記実施例と異なる点は，集光用凹所の傾斜面４ｂの傾斜角を変化させる代わりに，平坦面４ａを傾斜させた点のみである
【００１７】したがって，
この実施例の場合にも上記実施例と同様に各発光ダイオードの配光特性を単位ユニットの中心軸側に多少傾斜させた状態にすることができ，単位ユニットにおける混色特性を良好にすることができる
【００１８】
【実施例３】図４はこの発明の多色ディスプレイ装置のさらに他の実施例の要部を示す概略縦断面図である。
この実施例が実施例２と異なる点は，平坦面４ａを基板１の表面と平行にし，実施例２と同じ向きになるように発光ダイオードを搭載した点のみである
【００１９】具体的には，
発光ダイオードの底面を上面に対して傾斜させ，或は，発光ダイオードを傾斜させるべく半田層などを設ければよい
ｂ　また，図４は次のものである。
（イ）ここで，上記段落【００１８】〜【００１９】の記載とともに図４を参照すると，平坦面４ａ上に各発光ダイオード３Ｒ，３Ｂ，３Ｇが設けられ，各発光ダイオードの端部の平坦面４ａからの高さは，一端部と他端部とで異なっていることが見て取れる。
（ウ）以上から，引用例２には以下の事項が記載されているといえる。
ａ　基板１の表面に，３個一組の集光用凹所２Ｒ，２Ｂ，２Ｇを多数形成してあるとともに，各集光用凹所２Ｒ，２Ｂ，２Ｇにそれぞれ赤色の光を放射する発光ダイオード３Ｒ，青色の光を放射する発光ダイオード３Ｂおよび緑色の光を放射する発光ダイオード３Ｇを搭載したものにおいて，集光用凹所２Ｒは底面が基板１の上面と平行な平坦面４ａであるとともに，平坦面４ａを包囲する傾斜側面４ｂを有し，平坦面４ａに各発光ダイオード３Ｒ，３Ｂ，３Ｇを設けたものであって，発光ダイオードを傾斜させるべく半田層などを設けて，各発光ダイオードの端部の平坦面４ａからの高さを一端部と他端部とで異なった状態として，各発光ダイオードの配光特性を単位ユニットの中心軸側に多少傾斜させ，単位ユニットにおける混色特性を良好にすること。
ｂ　上記「発光ダイオードを傾斜させるべく半田層などを設け」ることは，平坦面４ａを傾斜することにより各発光ダイオードを傾斜させることに代えてなされたこと。
（３）対比
　本願発明と引用発明とを対比する。
ア　引用発明の「バックライト光源装置４０」は，本願発明の「光半導体装置」に相当する。
イ　引用発明の「基板１１」は，本願発明の「基体」に相当する。
ウ　引用発明の「各発光ダイオード１２（１２Ｒ，１２Ｇ，１２Ｂ）は，基板１１上に設けられて」いることと，本願発明の「前記基体上に離間して配置された複数の接合部材と，　前記接合部材上に載置された複数の光半導体素子とを備える」こととは，「基体上に複数の光半導体素子を備える」点で一致する。
エ　引用発明においては，「緑色の発光ダイオード１２Ｇについては，発光ダイオード１２Ｇが設けられている基板１１は底面に対して傾斜しておらず，それにより，発光ダイオード１２Ｇの出射面も底面に対して傾斜しておらず，また，赤色の発光ダイオード１２Ｒ及び青色の発光ダイオード１２Ｂについては，それぞれが設けられている基板１１は，固定材１３により底面に対して傾斜角度θ＝４５°の傾斜面となっており，それにより，発光ダイオード１２Ｒ，１２Ｂの出射面は，底面に対して傾斜角度４５°の傾斜面となっており，」また，「３色の発光ダイオード１２Ｒ，１２Ｇ，１２Ｂのうち，外側に配置された２つの発光ダイオード１２Ｒ及び１２Ｂが，出射面が底面に対して傾斜角度θ（４５°）の傾斜面となっているため，３色の発光ダイオード１２Ｒ，１２Ｇ，１２Ｂからの出射光を光源装置１０の中心部へ集め」るものであるから，各発光ダイオード１２Ｇ，１２Ｒ，１２Ｂの出射方向は，出射面に垂直なことは明らかであり，各出射面の中心から出射方向に沿う直線が，本願発明の「光半導体素子から発光される光の光軸」に相当するといえる。
　そして，引用発明において，「緑色の発光ダイオード１２Ｇ」及び「赤色の発光ダイオード１２Ｒ」についてみると，「発光ダイオード１２Ｇが設けられている基板１１は底面に対して傾斜しておらず，それにより，発光ダイオード１２Ｇの出射面も底面に対して傾斜しておらず」，一方，「赤色の発光ダイオード１２Ｒ及び青色の発光ダイオード１２Ｂについては，それぞれが設けられている基板１１は，固定材１３により底面に対して傾斜角度θ＝４５°の傾斜面となっており，それにより，発光ダイオード１２Ｒ，１２Ｂの出射面は，底面に対して傾斜角度４５°の傾斜面となって」いる。よって，発光ダイオード１２Ｇと，例えば発光ダイオード１２Ｒとは，それらから発光される光の光軸の方向が互いに異なるものといえる。
　また，引用発明においては，「底面は，各発光ダイオードが設けられている範囲において平坦な同一面であ」ることから，発光される光の光軸の方向について，発光ダイオード１２Ｇと，例えば発光ダイオード１２Ｒとは，底面，すなわち平坦な同一面に対して，異なる角度を有するものといえる。
　ここで，本願発明における「基体」は，「基体における前記複数の光半導体発光素子を載置させる領域は，全領域にわたって平坦な同一面で」あるから，引用発明における上記各構成と，本願発明の「前記平坦な面上に配置される少なくとも２つの光半導体素子から発光される光の光軸の方向が互いに異なり，かつ前記基体の表面に対して異なる角度を有すること」とは，「少なくとも２つの光半導体素子から発光される光の光軸の方向が互いに異なり，かつ平坦な同一面に対して異なる角度を有すること」である点で一致する。
オ　したがって，引用発明と本願発明とは以下の点で一致する。
「基体と，
　基体上に複数の光半導体素子を備える光半導体装置であって，
　少なくとも２つの光半導体素子から発光される光の光軸の方向が互いに異なり，かつ平坦な同一面に対して異なる角度を有する光半導体装置。」
カ　一方，両者は以下の各点で相違する。
《相違点１》
　本願発明は，「前記基体上に離間して配置された複数の接合部材と，前記接合部材上に載置された複数の光半導体素子とを備える光半導体装置であって，前記基体における前記複数の光半導体発光素子を載置させる領域は，全領域にわたって平坦な同一面であ」るのに対して，引用発明は，「基体上に複数の光半導体素子を備える光半導体装置」に対応する構成を備えるものの，「前記基体上に離間して配置された複数の接合部材」とともに，「複数の光半導体素子」が「前記接合部材上に載置され」，「前記基体における前記複数の光半導体発光素子を載置させる領域は，全領域にわたって平坦な同一面であ」る構成までは備えない点。
《相違点２》
　本願発明は，「１つの前記光半導体素子は１つの前記接合部材で固定されており，少なくとも１つの接合部材において，光半導体素子の一端側の高さｈ１と，該一端と対向する他方端側の高さｈ２とで異なり，前記平坦な面上に配置される少なくとも２つの光半導体素子から発光される光の光軸の方向が互いに異なり，かつ前記基体の表面に対して異なる角度を有する」構成を備えるのに対して，引用発明は，「少なくとも２つの光半導体素子から発光される光の光軸の方向が互いに異なり，かつ平坦な同一面に対して異なる角度を有する」ことに対応する構成は備えるものの，「１つの前記光半導体素子は１つの前記接合部材で固定されており，少なくとも１つの接合部材において，光半導体素子の一端側の高さｈ１と，該一端と対向する他方端側の高さｈ２とで異なり，」「少なくとも２つの光半導体素子」が「前記平坦な面上に配置される」とともに，「２つの光半導体素子から発光される光の光軸の方向が」「前記基体の表面に対して異なる角度を有する」構成までは備えない点。
（４）判断
　上記相違点１及び２について，併せて検討する。
ア　引用発明は，「３色の発光ダイオード１２Ｒ，１２Ｇ，１２Ｂからの出射光を光源装置１０の中心部へ集め」るために，「色の発光ダイオード１２Ｇについては，発光ダイオード１２Ｇが設けられている基板１１は底面に対して傾斜しておらず，それにより，発光ダイオード１２Ｇの出射面も底面に対して傾斜しておらず，また，赤色の発光ダイオード１２Ｒ及び青色の発光ダイオード１２Ｂについては，それぞれが設けられている基板１１は，固定材１３により底面に対して傾斜角度θ＝４５°の傾斜面となっており，それにより，発光ダイオード１２Ｒ，１２Ｂの出射面は，底面に対して傾斜角度４５°の傾斜面となって」いる構成を備える。すなわち，赤色の発光ダイオード１２Ｒ及び青色の発光ダイオード１２Ｂが設けられる基板１１を傾斜させることにより，各発光ダイオードの出射面を傾斜させているものである。
イ　一方，前記２（２）イ（ウ）ａに記載したとおり，引用例２には，「平坦面４ａに各発光ダイオード３Ｒ，３Ｂ，３Ｇを設けたもの」において「発光ダイオードを傾斜させるべく半田層などを設けて，各発光ダイオードの端部の平坦面４ａからの高さを一端部と他端部とで異なった状態として，各発光ダイオードの配光特性を単位ユニットの中心軸側に多少傾斜させ」ることが記載されている。そして，当該引用例２に係る構成は，前記２（２）イ（ウ）ｂに記載したとおり，平坦面４ａを傾斜することにより各発光ダイオードを傾斜させることに代えてなされたものである。
　それゆえ，引用発明及び引用例２に記載されたものは，いずれも各発光ダイオードからの出射光を集めるべく，発光ダイオードを傾斜させて設置する点で共通する。
ウ　したがって，引用発明において引用例２に記載された前記技術を適用して，引用発明の，「赤色の発光ダイオード１２Ｒ及び青色の発光ダイオード１２Ｂについては，それぞれが設けられている基板１１は，固定材１３により底面に対して傾斜角度θ＝４５°の傾斜面となって」いる構成に代えて，発光ダイオード１２Ｇ，赤色の発光ダイオード１２Ｒ及び青色の発光ダイオード１２Ｂがそれぞれ設けられている基板１１を，発光ダイオード１２Ｇが設けられている基板１１と同様に，底面に対して傾斜していないものとするとともに，発光ダイオード１２Ｒ及び発光ダイオード１２Ｂを傾斜させるべく，半田層などを設けて，各発光ダイオード１２Ｒ及び１２Ｂの端部の基板１１からの高さを一端部と他端部とで異なった状態とすることは，当業者が適宜になし得たことである。
　そして，各発光ダイオード１２Ｇ，１２Ｒ，１２Ｂの設けるいずれの基板１１も底面に対して傾斜していないものとする際には，各々の基板１１を別個に傾斜させる必要がないことは明らかであるから，各発光ダイオード１２Ｇ，１２Ｒ，１２Ｂを設ける基板１１を，一体の平坦なものとすることは当業者に自明なことである。
エ　また，これに伴い，発光ダイオード１２Ｇと発光ダイオード１２Ｒ（又は１２Ｂ）についてみると，いずれも平坦な面上に配置されるとともに，各発光ダイオード１２Ｇ，１２Ｒ（又は１２Ｂ）から発光される光の光軸の方向が，基板の表面に対して異なる角度を有するものとなることは明らかである。
オ　また，一般に，発光ダイオードを１つの半田等により接着することは，以下の周知例にも示されているように，本願の出願時点で周知の技術である。
周知例：　特開平７−２８８３４１号公報
　当審において通知した拒絶理由に引用し，本願の出願前に日本国内において頒布された特開平７−２８８３４１号公報（以下「周知例」という。）には，図２とともに以下の記載がある（下線は当審で付加。以下同様。）。
「【００２２】次に図２に示すように，緑色ＬＥＤチップＧおよび赤色ＬＥＤチップＲはいずれも基板が導電性材料であるので，基板と導電体層２とは半田等の導電性接着剤５５により直接接続されている。」
　また，図２は以下のものである。
　ここで，図２を参照すると，半田等の導電性接着剤５５は，各ＬＥＤチップにつき１つだけ設けられていることが見て取れる。
カ　以上のとおりであるから，引用発明において，引用例２に記載された技術を適用することにより，発光ダイオード１２Ｇ，赤色の発光ダイオード１２Ｒ及び青色の発光ダイオード１２Ｂがそれぞれ設けられている基板１１を，発光ダイオード１２Ｇが設けられている基板１１と同様に，底面に対して傾斜していないものとするとともに，発光ダイオード１２Ｒ及び発光ダイオード１２Ｂを傾斜させつつ各発光ダイオード１２Ｇ，１２Ｒ，１２Ｂを基板に接着させるべく，各発光ダイオードについて１つの半田層を設けて，各発光ダイオード１２Ｒ及び１２Ｂの端部の基板１１からの高さを一端部と他端部とで異なった状態とし，また，基板１１を一体の平坦なものとすることで，相違点１に係る，「前記基体上に離間して配置された複数の接合部材」とともに，「複数の光半導体素子」が「前記接合部材上に載置され」，「前記基体における前記複数の光半導体発光素子を載置させる領域は，全領域にわたって平坦な同一面であ」る構成となすとともに，相違点２に係る，「１つの前記光半導体素子は１つの前記接合部材で固定されており，少なくとも１つの接合部材において，光半導体素子の一端側の高さｈ１と，該一端と対向する他方端側の高さｈ２とで異なり，」「少なくとも２つの光半導体素子」が「前記平坦な面上に配置される」とともに，「２つの光半導体素子から発光される光の光軸の方向が」「前記基体の表面に対して異なる角度を有する」構成を備えることは，当業者が適宜になし得たことである。
（５）まとめ
　以上検討したとおり，本願発明は，周知技術を勘案して，引用発明及び引用例２に記載された事項に基づいて当業者が容易に発明をすることができたものであるから，特許法第２９条第２項の規定により特許を受けることができない。
　
３　むすび
　以上のとおりであるから，他の請求項について検討するまでもなく，本願は拒絶すべきものである。
　よって，結論のとおり審決する。